(57)【要約】【課題】メンテナンスを容易に行うことができ、見栄えのよい便器装置を提供する。【解決手段】便器装置２は、機能装置Ｆ１と、ベースプレート１０と、下端開口内に収納したベースプレート１０にビスＳ１、Ｓ２により固定され、内部に機能装置Ｆ１を収納するカバー３０とを備えている。ベースプレート１０は、カバー３０内に収納され、便器本体１の上面１Ｔに固定された際、便器本体上面１Ｔからはみ出す縁部１０Ｅ、１０Ｆを有し、縁部１０Ｅ、１０Ｆには外側下方から内側上方に向けてビスＳ１、Ｓ２を挿入可能な第１ビス孔１１、１２が設けられている。カバー３０は、内面から側面部３０Ｓの内側近傍に延びる垂下片３０Ａ、３０Ｂを有し、垂下片３０Ａ、３０Ｂには外側下方から内側上方に向けてビスＳ１、Ｓ２を挿通可能な第２ビス孔３１、３２が設けられている。【選択図】図２
2010196330.tif 000002
【特許請求の範囲】
【請求項１】
機能装置と、機能装置が固定され、便器本体の上面に取り付けられるベースプレートと、側面部及び側面部に連続した上面部を有し、下端開口内に収納した前記ベースプレートにビスにより固定され、内部に前記機能装置を収納するカバーとを備えた便器装置であって、
前記ベースプレートは、前記カバー内に収納され、前記便器本体の上面に固定された際、便器本体上面からはみ出す縁部を有し、縁部には外側下方から内側上方に向けて前記ビスを挿入可能な第１ビス孔が設けられ、
前記カバーは、内面から前記側面部の内側近傍に延びる垂下片を有し、垂下片には外側下方から内側上方に向けて前記ビスを挿入可能な第２ビス孔が設けられていることを特徴とする便器装置。
【請求項２】
前記第１ビス孔の下方外側に位置する開口の周縁部は、前記ビスの頭部を係止する第１係止面を形成し、外側下方に向いて傾斜していることを特徴とする請求項１記載の便器装置。
【請求項３】
前記第１係止面は、前記ベースプレートの縁部の下面より斜め上方に立ち上げられた傾斜壁に形成されていることを特徴とする請求項２記載の便器装置。
【請求項４】
前記ベースプレートは、前記傾斜壁との間に前記垂下片を上方から挿入可能な隙間を設けて立設された立上壁を有していることを特徴とする請求項３記載の便器装置。
【請求項５】
前記第２ビス孔の下方外側に位置する開口の周縁部は、前記ビスの頭部を係止する第２係止面を形成し、外側下方に向いて傾斜していることを特徴とする請求項１記載の便器装置。
【請求項６】
前記垂下片は、内側下方に向けて斜めに延び、前記第２ビス孔が設けられた傾斜部を有し、傾斜部は、前記カバーの下端開口内に前記ベースプレートを収納した際、前記ベースプレートの側端部に係止することを特徴とする請求項５記載の便器装置。
【請求項７】
前記ベースプレートは、前記側端部に連続して立設され、前記垂下片を側端部に案内する案内面を有していることを特徴とする請求項６記載の便器装置。
【発明の詳細な説明】
【技術分野】
【０００１】
本発明は便器装置に関する。
【背景技術】
【０００２】
特許文献１には従来の便器装置が開示されている。この便器装置は、ベースプレートとカバーとを有し、便器本体の上面に取付可能である。ベースプレートの後端部には立上壁が立設され、立上壁には縦溝が設けられている。縦溝の上端面には上下方向に貫通する第１ビス孔が形成されている。カバーの後端部には垂下壁が設けられ、垂下壁は下端部の内側に延びる連結部を有している。連結部には第１ビス孔に対面する位置に第２ビス孔が形成されている。ベースプレートとカバーとを重ね合わせた状態で、ビスを縦溝内に挿入しつつ、下方から第１ビス孔及び第２ビス孔にねじ込むことにより、ベースプレートとカバーとをビスにより強固に連結することができる。
【先行技術文献】
【特許文献】
【０００３】
【特許文献１】実開平６−４１５９８号公報
【発明の概要】
【発明が解決しようとする課題】
【０００４】
しかし、上記従来の便器装置では、便器装置を便器本体の上面に取り付けた状態ではビスの頭部と便器本体の上面との間隔が狭い。このため、ドライバーによりビスを外し難い。よって、メンテナンス等をする際には、便器装置を便器本体から取り外すことになり、手間を要する。また、後方から縦溝やビス頭が目視可能であるため、見栄えが悪い。また、縦溝内にほこり等が溜まってしまうと拭き取り難く、さらに見栄えを悪くしてしまう。
【０００５】
本発明は、上記従来の実情に鑑みてなされたものであって、メンテナンスを容易に行うことができ、見栄えのよい便器装置を提供することを解決すべき課題としている。
【課題を解決するための手段】
【０００６】
本発明の便器装置は、機能装置と、機能装置が固定され、便器本体の上面に取り付けられるベースプレートと、側面部及び側面部に連続した上面部を有し、下端開口内に収納した前記ベースプレートにビスにより固定され、内部に前記機能装置を収納するカバーとを備えた便器装置であって、
前記ベースプレートは、前記カバー内に収納され、前記便器本体の上面に固定された際、便器本体上面からはみ出す縁部を有し、縁部には外側下方から内側上方に向けて前記ビスを挿入可能な第１ビス孔が設けられ、
前記カバーは、内面から前記側面部の内側近傍に延びる垂下片を有し、垂下片には外側下方から内側上方に向けて前記ビスを挿入可能な第２ビス孔が設けられていることを特徴とする。
【０００７】
この便器装置では、第１ビス孔が便器本体上面からはみ出した縁部に設けられ、かつ第１ビス孔は外側下方から内側上方に向けてビスを挿入可能であるとともに、カバーに設けられた第２ビス孔も外側下方から内側上方に向けてビスを挿入可能である。このため、ベースプレートが便器本体に固定された状態でも、第１ビス孔及び第２ビス孔に挿入されていたビスを外し、カバーをベースプレートから取り外すことができる。また、便器本体の上面に固定されたベースプレートに対し、カバーを下降させ、下端開口内に収納し、第１ビス孔及び第２ビス孔にビスを挿入し、ねじ込むことができる。これにより、カバーをベースプレートに固定することができる。
【０００８】
さらに、第１ビス孔はカバー内に収納される縁部に設けられ、第２ビス孔はカバーの側面部の内側近傍に延びる垂下片に設けられている。このため、第１ビス孔及び第２ビス孔は、カバーの側面部の内側に配置され、カバーにより隠蔽することができる。このため、第１ビス孔及び第２ビス孔に挿入されたビスの頭部もカバーにより隠蔽することができる。
【０００９】
したがって、本発明の便器装置は、メンテナンスを容易に行うことができ、見栄えをよくすることができる。
【００１０】
前記第１ビス孔の下方外側に位置する開口の周縁部は、前記ビスの頭部を係止する第１係止面を形成し、外側下方に向いて傾斜し得る。この場合、外側下方から内側上方に向けて第１ビス孔に挿入されたビスの頭部を第１系止面にしっかりと係止させることができる。
【００１１】
前記第１係止面は、前記ベースプレートの縁部の下面より斜め上方に立ち上げられた傾斜壁に形成され得る。この場合、ベースプレートの縁部の下面より上方に形成された傾斜壁に第１ビス孔が設けられるため、第１ビス孔もをベースプレートの縁部の下面よりも上方に設けることができる。このため、第１ビス孔及び第１係止面に係止したビスの頭部を側方から視認され難くすることができる。
【００１２】
前記ベースプレートは、前記傾斜壁との間に前記垂下片を上方から挿入可能な隙間を設けて立設された立上壁を有し得る。この場合、垂下片は傾斜壁と立上壁とに案内され隙間に挿入される。このため、垂下片が適正な位置に配置され、垂下片に設けられた第２ビス孔と傾斜壁に設けられた第１ビス孔を同軸上に容易に配置することができる。
【００１３】
前記第２ビス孔の下方外側に位置する開口の周縁部は、前記ビスの頭部を係止する第２係止面を形成し、外側下方に向いて傾斜し得る。この場合、外側下方から内側上方に向けて挿入されたビスの頭部を第２係止面にしっかりと係止することができる。
【００１４】
前記垂下片は、内側下方に向けて斜めに延び、前記第２ビス孔が設けられた傾斜部を有し、傾斜部は、前記カバーの下端開口内に前記ベースプレートを収納した際、前記ベースプレートの側端部に係止し得る。この場合、傾斜部をベースプレートの側端部に係止することにより、カバーをベースプレートの所定の位置に組み付けることができる。この状態で、第１ビス孔及び第２ビス孔を同軸上に配置されるため、ビスを第１ビス孔及び第２ビス孔に挿入し、ねじ込む作業を容易に行うことができる。
【００１５】
前記ベースプレートは、前記側端部に連続して立設され、前記垂下片を側端部に案内する案内面を有し得る。この場合、カバーの下端開口内にベースプレート等を容易に収納することができる。このため、ベースプレートにカバーを容易に固定することができる。
【図面の簡単な説明】
【００１６】
【図１】実施例の水洗式便器の側面図である。
【図２】実施例の水洗式便器の一部切欠き側面図である。
【図３】実施例の水洗式便器の分解側面図である。
【図４】図２のＸ−Ｘ矢視断面図である。
【図５】図２のＸ−Ｘ矢視断面の分解図である。
【図６】実施例の水洗式便器の要部分解斜視図である。
【図７】図２のＹ−Ｙ矢視断面図である。
【図８】図２のＹ−Ｙ矢視断面における分解図である。
【図９】図２のＹ−Ｙ矢視断面においてカバーを前側ベースプレートに取り付ける状態を示す断面図である。
【発明を実施するための形態】
【００１７】
以下、本発明の便器装置を備えた水洗式便器を具体化した実施例を図面を参照しつつ説明する。
【実施例】
【００１８】
実施例の水洗式便器は、図１に示すように、便器本体１の上面に便器装置２が設けられている。便器装置２は、後述するカバー３０の前側の側面部３０Ｕに回動可能に軸支された便蓋３及び図示しない便座を有している。さらに、便器装置２は、便器本体１の左右後部に設けられ、便器本体１の後方を隠蔽する化粧板４を有している。
【００１９】
便器装置２は、図２及び図３に示すように、便器本体１の上面１Ｔに取り付けられた前側ベースプレート１０及び後側ベースプレート２０を有している。後側ベースプレート２０は、下面に取り付けられ、下方に延びるボルトＢを有している。便器本体１に設けられた貫通孔にボルトＢを挿通させ、ボルトＢの下端からナットＮを螺合させることにより、後側ベースプレート２０は便器本体１に固定されている。前側ベースプレート１０は、後側ベースプレート２０に図示しない昇降装置を介して連結されている。このため、前側ベースプレート１０は、便器本体１の上面１Ｔから設定間隔を空けた上方位置までの間を昇降可能である。
【００２０】
前側ベースプレート１０には、洗浄ノズル等を有する局部洗浄装置、温風乾燥装置、ＬＥＤ等を有する照明装置等の機能装置Ｆ１が固定されている。機能装置Ｆ１は前側ベースプレート１０とともに昇降可能である。
【００２１】
後側ベースプレート２０には、開閉弁等を有する便器洗浄装置、部屋暖房装置、空気清浄装置、音楽再生装置等の機能装置Ｆ２が固定されている。機能装置Ｆ２は後側ベースプレート２０の上下に配置して固定されている。後側ベースプレート２０の下面には、後側ベースプレート２０の下方に配置された機能装置Ｆ２を保護する保護カバー２１が取り付けられている。保護カバー２１の左右下端部には、化粧板４の内面の中間部を保持する保持部２２が設けられている。
【００２２】
便器装置２は、前側ベースプレート１０、後側ベースプレート２０及びこれらの上方に配置された機能装置Ｆ１、Ｆ２を収納するカバー３０を備えている。カバー３０は、前後左右の側面部３０Ｕ、３０Ｒ、３０Ｓ及びこれらに連続した上面部３０Ｔを有し、下方に開口している。前側の側面部３０Ｕは、上面部３０Ｔの前端から垂直方向に延びる垂直面部と、垂直面部の下端から前方に向けて下方に傾斜する傾斜面部とを有している。
【００２３】
前側ベースプレート１０は、図３〜図５に示すように、左右側縁部の前部において、便器本体１の上面１Ｔに固定された際、上面１Ｔから左右にはみ出す縁部１０Ｅを有している。縁部１０Ｅはカバー３０の左右の側面部３０Ｓよりも内側であり、前側ベースプレート１０はカバー３０内に収納されている。
【００２４】
前側ベースプレート１０の縁部１０Ｅには、下方に開口する凹部１０Ｃが形成されている。凹部１０Ｃは、前側ベースプレート１０の下面から斜め上方に立ち上げられた傾斜壁１３を有している。傾斜壁１３には、ビスＳ１が外側下方から内側上方に向けて挿入され、貫通可能な第１ビス孔１１が貫設されている。第１ビス孔１１の下方外側に位置する開口の周縁部、つまり、傾斜壁１３の凹部１０Ｃ内に面する側面は、ビスＳ１の頭部が係止する第１係止面１１Ｋを形成している。第１ビス孔１１に挿通されたビスＳ１の頭部は凹部１０Ｃ内に収納される。このため、第１ビス孔１１及び第１係止面１１Ｋに係止したビスＳ１の頭部を側方から視認され難くすることができる。また、第１係止面１１Ｋは外側下方に向いて傾斜している。このため、外側下方から内側下方に向けて第１ビス孔１１に挿入されたビスＳ１の頭部を第１係止面１１Ｋにしっかりと係止させることができる。
【００２５】
また、前側ベースプレート１０の縁部１０Ｅには、傾斜壁１３との間に後述する垂下片３０Ａを上方から挿入可能な隙間Ｄを設けて立設された立上壁１４が形成されている。立上壁１４は、第１ビス孔１１と同軸上に貫設された第３ビス孔１５を有している。立上壁１４の上端面の外側は外側下方に向けて傾斜して形成されている。
【００２６】
カバー３０は、前側の側面部３０Ｕの左右前部において、傾斜壁１３と立上壁１４との間に対応する位置に内面から垂下する垂下片３０Ａを有している。垂下片３０Ａには、第１ビス孔１１に挿通されたビスＳ１が、外側下方から内側上方に向けて挿入され、貫通する第２ビス孔３１が設けられている。
【００２７】
カバー３０を前側ベースプレート１０に固定する際には、前側ベースプレート１０に対してカバー３０を上方から下降させる。この際、カバー３０及び前側ベースプレート１０の前部においては、垂下片３０Ａが傾斜壁１３と立上壁１４とにより案内され隙間Ｄに挿入される。このため、垂下片３０Ａが適正な位置に配置され、第１ビス孔１１、第２ビス孔３１及び第３ビス孔１５を同軸上に容易に配置することができる。このため、第１ビス孔１１に対して外側下方から内側上方に向けて挿入されビスＳ１は、第１ビス孔１１を貫通し、第２ビス孔３１に挿入され、第２ビス孔３１を貫通し、第３ビス孔１５に容易に挿入することができ、第３ビス孔１５に先端部がねじ込まれる。このようにして、カバー３０の前部を前側ベースプレート１０の前部に強固に固定することができる。
【００２８】
前側ベースプレート１０は、図３及び図７〜図９に示すように、便器本体１の上面１Ｔに固定された際、上面１Ｔから後方にはみ出す縁部１０Ｆを有している。縁部１０Ｆはカバー３０の左右の側面部３０Ｓ及び後側の側面部３０Ｒよりも内側であり、前側ベースプレート１０はカバー３０内に収納されている。
【００２９】
前側ベースプレート１０の縁部１０Ｆの左右側部には、下面より下方に突出する凸部１０Ｄが形成されている。凸部１０Ｄには、外側に向けて下方に傾斜する第１ビス孔１２が設けられている。第１ビス孔１２はビスＳ２を外側下方から内側上方に向けて挿入可能である。第１ビス孔１２の下方外側に位置する開口の周縁部は、外側下方を向いた傾斜面に形成され、前側ベースプレート１０の左右の側端部１２Ｋを構成している。前側ベースプレート１０は、側端部１２Ｋの上部に連続して立設した左右側壁１６を有している。左右側壁１６の外側面は後述する垂下片３０Ｂを側端部１２Ｋに案内する案内面１６Ｇを形成している。
【００３０】
カバー３０は、第１ビス孔１２に対応する左右の側面部３０Ｓの前後中間部の下部において、内面から左右の側面部３０Ｓの内側近傍に延びる垂下片３０Ｂを有している。垂下片３０Ｂは、内側下方に向けて斜めに延びる傾斜部３３を有している。傾斜部３３の上端がカバー３０の内面に接続されている。傾斜部３３には、第２ビス孔３２が貫設されている。第２ビス孔３２の下方外側に位置する開口の周縁部、つまり、左右の側面部３０Ｓに面する側面は、ビスＳ２の頭部が係止しる第２係止面３２Ｋを形成している。第２ビス孔３２に挿通されたビスＳ２の頭部は、左右の側面部３０Ｓの下端部に隠蔽され、側方から視認され難くすることができる。また、第２係止面３２Ｋは外側下方に向いて傾斜している。このため、外側下方から内側下方に向けて第２ビス孔３２に投入されたビスＳ２の頭部を第２係止面３２Ｋにしっかりと係止させることができる。
【００３１】
傾斜部３３は、カバー３０の下端開口内に前側ベースプレート１０を収納した際、前側ベースプレート１０の側端部１２Ｋに当接し、係止可能である。このため、傾斜部３３を側端部１２Ｋに係止させることにより、カバー３０を前側ベースプレート１０の所定の位置に組み付けることができる。これにより、第１ビス孔１２及び第２ビス孔３２を同軸上に配置することがでる。このため、第２ビス孔３２に対して外側下方から内側上方に向けて挿入されたビスＳ２は、第２ビス孔３２を貫通し、第１ビス孔１２に容易に挿入することができ、第１ビス孔１２に先端部がねじ込まれる。このようにして、カバー３０の中間部を前側ベースプレート１０の後部に強固に固定することができる。
【００３２】
また、カバー３０を前側ベースプレート１０に固定する際には、図８及び図９に示すように、前側ベースプレート１０に対してカバー３０を上方から下降させる。この際、垂下片３０Ｂが設けられたカバー３０の中間部の下端縁を左右方向に広げるようにして案内面１６Ｇに垂下片３０Ｂの下端部の内面を当接させる。その後、傾斜部３３が側端部１２Ｋに係止するまでカバー３０を下方にスライドさせる。このように、カバー３０の下端開口内に前側ベースプレート１０等を容易に収納することができる。
【００３３】
このように構成された水洗式便器では、前側ベースプレート１０及び後側ベースプレート２０が便器本体１の上面１Ｔに取り付けられた状態で、化粧板４を便器本体１の左右後部から取り外すことにより、図４及び図７に示すように、便器装置２の左右の外側下方からビスＳ１、Ｓ２の頭部が視認可能となり、ドライバーの先端をビスＳ１、Ｓ２の頭部に当接させることができる。このため、前側ベースプレート１０及び後側のベースプレート２０が便器本体１の上面に取り付けられた状態でも、ビスＳ１、Ｓ２を第１ビス孔１１、１２及び第２ビス孔３１、３２から外し、カバー３０を前側ベースプレート１０から取り外すことができる。また、前側ベースプレート１０及び後側のベースプレート２０を便器本体１の上面１Ｔに取り付けたままで、カバー３０を上方から下降させ、下端開口内に収納し、第１ビス孔１１、１２及び第２ビス孔３１、３２にビスＳ１、Ｓ２をねじ込み、カバー３０を前側ベースプレート１０に強固に固定することができる。
【００３４】
さらに、この水洗式便器では、図１、図４及び図７に示すように、カバー３０を前側ベースプレート１０に固定したビスＳ１、Ｓ２は、カバー３０の左右の側面部３０Ｓにより隠蔽されている。また、化粧板４がカバー３０の左右側面部３０Ｓの下端部に当接するように取り付けられるため、カバー３０の左右の側面部３０Ｓの下端内側に設けられた隙間を隠蔽し、ビスＳ１、Ｓ２を完全に隠蔽することができる。このため、水洗式便器の側面をすっきりとした外観にすることができる。
【００３５】
したがって、実施例の水洗式便器は、メンテナンスを容易に行うことができ、見栄えをよくすることができる。
【００３６】
本発明は、上記記述及び図面によって説明した実施例に限定されるものではなく、例えば次のような実施例も本発明の技術的範囲に含まれる。
（１）上記実施例では、ベースプレートを前側ベースプレートと後側ベースプレートとの２つに分けられていたが、前側ベースプレートと後側ベースプレートを一体にしたものであってもよい。
（２）上記実施例では、便器装置は各種機能装置を備えていたが、便器洗浄装置を備えないものであってもよい。この場合、洗浄タンク等の便器洗浄装置を備えた既存の水洗式便器に対して、局部洗浄装置等を後付けする便器装置として利用することができる。
（３）上記実施例では、カバーとベースプレートとを固定するビスが挿通される第１ビス孔及び第２ビス孔が設けられた縁部及び垂下片の構造が前後で相違していたが、同一の構造を採用してもよい。
【産業上の利用可能性】
【００３７】
本発明は水洗式便器及び便器本体に取り付けられる局部洗浄装置に利用可能である。
【符号の説明】
【００３８】
１…便器本体
２…便器装置
１Ｔ…（便器本体の）上面
１０…前側ベースプレート
１０Ｅ、１０Ｆ…縁部
１１、１２…第１ビス孔
１１Ｋ…第１係止面
１２Ｋ…側端部
１３…傾斜壁
１４…立上壁
１６Ｇ…案内面
２０…後側ベースプレート
３０…カバー
３０Ａ、３０Ｂ…垂下片
３０Ｒ、３０Ｓ、３０Ｕ…側面部
３０Ｔ…上面部
３１、３２…第２ビス孔
３２Ｋ…第２係止面
３３…傾斜部
Ｆ１、Ｆ２…機能装置
Ｓ１、Ｓ２…ビス
【図１】
2010196330.tif 000003
【図２】
2010196330.tif 000004
【図３】
2010196330.tif 000005
【図４】
2010196330.tif 000006
【図５】
2010196330.tif 000007
【図６】
2010196330.tif 000008
【図７】
2010196330.tif 000009
【図８】
2010196330.tif 000010
【図９】
2010196330.tif 000011